(57)【要約】【課題】夏季は工場排気、車の排気熱、ビル等の空調用排熱、道路の舗装及びビル壁等の太陽熱反射等による気温の上昇及び太平洋高気圧の後支えも加わり高温多湿になり、冬季はオホーツク気団がが日本列島の山脈を越え太平洋側に乾燥した低温の北西風を吹かせインフルエンザ等が流行する原因の一つでもある。【解決手段】夏季は湿り空気の減湿冷却作用を利用し冬季は加熱加湿を利用するもので構造的に二重筒とし状態の違う二つの空気を充分に混合させ、一つの空気状態を造り出した後自然風に供給する装置である。【選択図】        図９
2005037108.tif 000002
【特許請求の範囲】
【請求項１】
二重筒（図１）の内筒内において自然水又は処理水を噴霧することにより外筒内で誘引した空気と混合させ筒外へ多量の空気を供給する大風量供給装置。
【発明の詳細な説明】
【発明の詳細な説明】
【技術分野】
【０００１】  大風量の供給を二重筒の内筒内で空気を水噴霧により昇圧させることで外筒内に空気を誘引させ混合空気として筒外へ放出するもので空気の慣性を利用する。【０００２】  夏季は外気を減湿冷却し冷風を供給、冬季は外気を加湿し湿潤空気を供給する大風量冷却加湿装置であり、大きなエネルギーを使うことなく噴霧圧を利用し送風、温度、湿度の面で空気の特性を利用する。
【背景技術】
【０００３】  一般に大気は、無限大と云う概念から大気を人工的に冷却、又は加湿することは、その膨大な熱量、動力、費用から実用的でないとされ、自然に任せるのみであり特に対策は行われていない。
【発明が解決しようとする課題】
【０００４】  夏季において、大気低層部では近年都市部での工場排気、車の排気熱、ビル等の空調用排熱、道路の舗装及びビル壁等の太陽熱反射等による気温の上昇があり、又上層部には太平洋高気圧が居座り日本の地理的位置をも加わって高温多湿になっている。
【０００５】  冬はオホーツク気団が日本海陸地に大雪を降らせ乾燥した空気が日本列島の山脈を越え太平洋側に北西風となって乾燥した強風が吹く。
【課題を解決するための手段】
【０００６】  本システムは、夏季は湿り空気の減湿冷却を利用し、冬季は加熱加湿作用を利用するもので、構造的に二重筒とし状態の違う二つの空気を充分に混合させて一つの空気状態を造り出した後、筒外へ放出する装置である。
【０００７】  湿り空気は種々の変化があり、その中で減湿冷却効果を夏季に利用し、加温加湿効果を冬季に利用するというもので自然風に逆らわずに対応させることでより良い生活環境を作り出すことを目的とするものである
【０００８】  近年冬の都市部は温度が高くなる要素が多く、その分乾燥空気がより湿度の低い空気となるので、人間の体も乾燥し易くインフルエンザ等が流行する原因でもある。
【０００９】  本システムは、夏季には外気露点温度より低い自然水又は濾過処理、温度処理、殺菌処理等を施した処理水を二重筒の内筒で高圧噴霧させ内筒部空気を昇圧及び減湿冷却し外筒へ流動させる。
【００１０】  それにより、外筒から誘引された外気と混合冷却することにより多量の空気を筒外に放出し自然風に冷却減湿空気を供給する。
【００１１】  連続して放出された空気は、ビル群が障害物となり自然風の流れに添って道路を下降流動し温度を下げる。
【００１２】  冬季は、外気温度より高い低温水を高圧噴霧することにより加温加湿した空気を筒外に放出し自然風に湿潤空気を供給する。
【発明を実施するための最良の形態】
【００１３】  図９のように、道路の支柱９上に本装置を設置し地上又は地下に水槽７、ポンプ８、制御盤等からなる機械室６を設置する。【００１４】  本装置の設計は、負荷側の道路面積や熱負荷等に応じて内筒ａ、外筒ｂの大きさを計算し空気の放出速度、放出温度等を決定する。【００１５】  夏季冷却の場合は太平洋高気圧を背にして北側へ放出し、冬季加湿は北西側を背にして南東側へ放出するもので夏季と冬季の切り替え時は内筒部をスライド式可動型とし噴霧器も同時に向きを変えられるようにすると良い。【００１６】  本装置は、構造が簡単なため噴霧圧力、噴霧温度の調整が重要であり、道路下降側に温度計測器及び湿度計測器を複数設置し、そのデータにより噴霧圧力、噴霧温度の制御を行うことも大切である。
【実施例】
【００１７】  本システムを夏季の場合に於いて説明すると、図１において内筒ａ内で外気ｔｏ，ｘｏに対し水噴霧器ｃで外気露点温度以下の水を高圧噴霧することで、その状態がＡ点では図６に示すｘｄに減湿（ｘｄ＜ｘｏ）、図５に示すｔｄに冷却（ｔｄ＜ｔｏ）される。【００１８】  空気は、図８に於いてＡ点で減湿冷却され飽和空気Ｅとなり、且つ昇圧され高速でＢ点迄流動した風量分が内筒内吸い込み側より誘引される。【００１９】  空気状態はＡ点でｔｄ＜ｔｏ，ｘｄ＜ｘｏになり、減湿冷却され飽和状態で一部は結露するがそのほとんどは高速でＢ点迄到達する。【００２０】  又、外筒内の空気状態は、図５，図６，図７，図８に示すようにｔｏ＞ｔｃ，ｘｏ＞ｘｃ，ｆｏ＞ｆｃ，ｅ＞ｅ’であり外筒入口の湿り空気ｅはＢ点へ誘引される。【００２１】  図８で高速でＢ点に到達した飽和空気及びＡ点での結露水は、Ｂ点に誘引された外筒湿り空気ｅと混合し飽和空気Ｅから湿り空気ｅ’となる。【００２２】  筒外へ放出される空気量は図３のように外筒と内筒の面積比によりＱｍ＞Ｑｎであり外筒入口部の空気ＱｍはＢ点へ誘引され内筒内空気Ｑｎと混合し風量Ｑとなり、放出速度も内筒内風速Ｖｎより減速され筒外へ風速Ｖで放出される。【００２３】  本システムは、図１のように小風量Ｑｎ（ｔｄ，ｘｄ）と大風量Ｑｍ（ｔｏ，ｘｏ）が混合し、大風量Ｑなる適度な温度ｔｃ、湿度ｘｃを造り出し筒外へ放出する。【００２４】  外気、Ａ点、Ｂ点の空気状態の関係は図５，図６，図８，図９に於いてｔｏ＞ｔｃ＞ｔｄ、ｘｏ＞ｘｃ＞ｘｄ、ｆｃ＜ｆｏ＜ｆｄ、Ｅ＜ｅ’＜ｅとなる。
【発明の効果】
【００２５】  この方法は、外気温度が高い時程、低密度のエネルギーによる効果が大であり、供給空気の湿度を下げるには噴霧水温度を低くすればより減湿効果がある。
【００２６】  夏季は自然風の流れに添って温度及び湿度の歩行環境を改善し、冬季は湿潤空気を自然風に供給し風邪などの予防に役立てる。
【００２７】  又、内筒内速度Ｖｎを速くするには噴霧器を直列に複数設置し供給空気量を増やすことも可能である。
【図面の簡単な説明】
【００２８】
【図１】  基本的な大風量冷却加湿及び送風装置の概要断面図であり、矢印の長さは風速の速遅、矢印の太さは風量の多少を表す。
【図２】  図１において外筒、内筒における各要所の風量を表す。
【図３】  図１において外筒、内筒における各要所の風速を表す。
【図４】  図１において外筒、内筒における各要所の内圧を表す。
【図５】  図１において外筒、内筒における各要所の温度を表す。
【図６】  図１において外筒、内筒における各要所の絶対湿度を表す。
【図７】  図１において外筒、内筒における各要所の相対湿度を表す。
【図８】  図１において外筒、内筒における各要所の水蒸気圧を表す。
【図９】  大風量供給及び冷却加湿装置の設置例であり、矢印の長さは風速の速遅、矢印の太さは風量の多少を表す。
【符号の説明】
【００２９】ａ    内筒
ｂ    外筒
ｃ    水噴霧器
ｄ    配水管
ｇ    指示金物
Ａ    内筒面積（ｍ２）
Ｂ    外筒面積（ｍ２）
Ｑｎ  内筒通過風量（ｍ３／ｈ）
Ｑｍ  外筒通過風量（ｍ３／ｈ）
Ｑ    放出空気量  Ｑ＝Ｑｎ＋Ｑｍ（ｍ３／ｈ）
Ｖｎ  外気風速（ｍ／ｓｅｃ）
Ｖｄ  内筒内風速（ｍ／ｓｅｃ）
Ｖｏ  外筒内風速（ｍ／ｓｅｃ）
Ｖ    放出空気速度（ｍ／ｓｅｃ）
ｅ    外気水蒸気圧（ｍｂ）
Ｅ    Ａ点の水蒸気圧（ｍｂ）
Ｅ’  Ｂ点の水蒸気圧（ｍｂ）
Ｐｏ  大気圧（ｈＰａ）
ｔｏ  外気乾球温度（℃）
ｘｏ  外気絶対湿度（Ｋｇ／Ｋｇ’）
ｆｏ  外気相対湿度（％）
ｔｄ  内筒出口空気乾球温度（℃）
ｘｄ  内筒出口空気絶対湿度（Ｋｇ／Ｋｇ’）
ｆｄ  内筒出口空気相対湿度（％）
ｔｃ  放出空気乾球温度（℃）
ｘｃ  放出空気絶対湿度（Ｋｇ／Ｋｇ’）
ｆｃ  放出空気相対湿度（％）
１    内筒吸込端
２    水噴霧位置
３    外筒吸込端
４    内筒吹出端
５    外筒吹出端
６    機械室
７    水槽
８    ポンプ
９    支柱
１０  配水管
【図１】
2005037108.tif 000003
【図２】
2005037108.tif 000004
【図３】
2005037108.tif 000005
【図４】
2005037108.tif 000006
【図５】
2005037108.tif 000007
【図６】
2005037108.tif 000008
【図７】
2005037108.tif 000009
【図８】
2005037108.tif 000010
【図９】
2005037108.tif 000011
【手続補正書】
【提出日】平成15年10月8日(2003.10.8)
【手続補正１】
【補正対象書類名】明細書
【補正対象項目名】００２９
【補正方法】変更
【補正の内容】
【００２９】ａ  内筒ｂ  外筒ｃ  水噴霧器ｄ  配水管ｇ  指示金物Ａ  内筒面積（ｍ２）Ｂ  外筒面積（ｍ２）Ｑｎ  内筒通過風量（ｍ３／ｈ）Ｑｍ  外筒通過風量（ｍ３／ｈ）Ｑ  放出空気量  Ｑ＝Ｑｎ＋Ｑｍ（ｍ３／ｈ）Ｖｎ  外気風速（ｍ／ｓｅｃ）Ｖｄ  内筒内風速（ｍ／ｓｅｃ）Ｖｏ  外筒内風速（ｍ／ｓｅｃ）Ｖ  放出空気速度（ｍ／ｓｅｃ）ｅ  外気水蒸気圧（Ｐａ）Ｅ  Ａ点の水蒸気圧（Ｐａ）Ｅ’  Ｂ点の水蒸気圧（Ｐａ）Ｐｏ  大気圧（Ｐａ）ｔｏ  外気乾球温度（℃）ｘｏ  外気絶対湿度（ｋｇ／ｋｇ’）ｆｏ  外気相対湿度（％）ｔｄ  内筒出口空気乾球温度（℃）ｘｄ  内筒出口空気絶対湿度（ｋｇ／ｋｇ’）ｆｄ  内筒出口空気相対湿度（％）ｔｃ  放出空気乾球温度（℃）ｘｃ  放出空気絶対湿度（ｋｇ／ｋｇ’）ｆｃ  放出空気相対湿度（％）１  内筒吸込端２  水噴霧位置３  外筒吸込端４  内筒吹出端５  外筒吹出端６  機械室７  水槽８  ポンプ９  支柱１０  排水管